(57)【要約】【課題】粘膜を巻き込むことなく骨に対するドリリングを行うことができ、且つドリリング後の粘膜と骨との孔の位置がずれるのを防止することができる。【解決手段】ハンドピース２に装着させたシャフト３をシャフト軸回りに回転自在に、且つシャフト軸方向に移動自在に案内するガイド片１２を有するフレーム本体１０と、このフレーム本体１０の先端部１０ａから突出する複数の突出針１１、１１、…とを備え、ガイド片１２が２本のシャフト３を案内可能に係合され、それらシャフト３、３同士のシャフト軸が互いに平行に配置され、さらにフレーム本体１０にはその平面に沿ってガイド片１２によって案内されるシャフト３のシャフト軸方向に延びる案内凹溝１３が設けられた治療冶具１を提供する。【選択図】図１
2012147845.tif 000002
【特許請求の範囲】
【請求項１】
粘膜によって覆われた骨に対して処置を施すための治療治具であって、
フレーム本体と、
該フレーム本体の先端部から突出する先鋭部と、
を備えていることを特徴とする治療治具。
【請求項２】
前記フレーム本体には、適宜な処置機能を有する回転可能なシャフトをシャフト軸回りに回転自在に、且つシャフト軸方向に移動自在に案内するガイド部を有することを特徴とする請求項１に記載の治療治具。
【請求項３】
前記ガイド部は、複数の前記シャフトを案内可能に係合し、
それら前記シャフト同士のシャフト軸が互いに平行に配置されていることを特徴とする請求項２に記載の治療治具。
【請求項４】
前記フレーム本体は、平板部材からなり、
該フレーム本体の平面に沿って前記ガイド部によって案内される前記シャフトのシャフト軸方向に延びる案内凹溝が設けられていることを特徴とする請求項２又は３に記載の治療治具。
【請求項５】
前記先鋭部は、平面視で前記ガイド部に案内される前記シャフトの両側の位置に設けられていることを特徴とする請求項２乃至４のいずれか１項に記載の治療治具。
【発明の詳細な説明】
【技術分野】
【０００１】
本発明は、適宜な処置機能を有する回転可能なシャフトを用いて例えば口腔内などの粘膜によって覆われた骨に対して処置を施すための治療治具に関する。
【背景技術】
【０００２】
従来、歯列の矯正では、特定の歯を固定して、固定された歯と移動させる歯を接続して、矯正する歯を引っ張って動かす矯正方法がある。この場合、互いの歯で引っ張り合うため、固定した歯も移動する歯の方向に移動してしまうということがあった。そこで、例えば円筒形状のネジ部を形成したネジ式のインプラントをなすスクリューを顎部の骨に埋め込み、これを固定源とし、このスクリューにプレートやワイヤーなどをろう着などの固定手段によって固定し、そのプレートやワイヤーなどの端部を歯に固定することで歯列矯正治療が行われている（例えば、特許文献１参照）。
【０００３】
特許文献１は、インプラントボディの頭部に溝を設けたアンカーヘッドを固定させるとともに、このアンカーヘッドを上下方向に貫通するねじ孔が設けられているインプラント構造であり、インプラントボディを顎部の骨に埋め込んで固定し、溝に一端を歯に固定させたワイヤーを係止し、ねじ孔にねじを螺合させることで、そのねじの先端部でワイヤーを固定するものである。
【先行技術文献】
【特許文献】
【０００４】
【特許文献１】特開２００４−５７７２９号公報
【発明の概要】
【発明が解決しようとする課題】
【０００５】
しかしながら、従来の治療方法では以下のような問題があった。
すなわち、薄く柔らかく、且つ可動粘膜に覆われていない骨に対して埋め込まれるスクリューは手動により簡単に固定することが可能であったが、厚く硬い骨の場合にはドリリングを行って孔を開けてからでないとスクリューを埋め込むことができなかった。ところが、ドリリングを施す骨に覆われている粘膜には骨に沿って滑るようにして動く可動粘膜があり、この可動粘膜に対してドリリングを行う場合には、ドリルに粘膜が巻き込まれ、その粘膜にドリル径よりも大径の穴が開いてしまったり、裂けてしまうという欠点があった。そのため、従来は、先に粘膜を切開し、粘膜弁骨膜を剥離させてから、厚い骨に対してドリリングを行っていたが、切開手術を行うため、術後の腫脹や疼痛を伴うという問題があった。
【０００６】
また、ドリル孔を骨に開けた後、骨に対する粘膜の滑動によって粘膜と骨のドリル孔の位置がずれてしまうおそれがあった。そのため、先行して開けたドリル孔にスクリューをねじ込む際に、粘膜の孔の位置に合わせて骨に開けたドリル孔にスクリューが入らず、骨に開けたドリル孔を探すといった作業手間が生じることとなり、その点で改良の余地があった。
【０００７】
本発明は、上述する問題点に鑑みてなされたもので、粘膜を巻き込むことなく骨に対するドリリングを行うことができ、且つドリリング後の粘膜と骨との孔の位置がずれるのを防止することができる治療治具を提供することを目的とする。
【課題を解決するための手段】
【０００８】
上記目的を達成するため、本発明に係る治療治具は、粘膜によって覆われた骨に対して処置を施すための治療治具であって、フレーム本体と、フレーム本体の先端部から突出する先鋭部とを備えていることを特徴としている。
【０００９】
本発明では、インプラントによる歯列矯正等の処置で口腔内の粘膜によって覆われた骨にスクリューを埋め込む場合において、治療治具の先鋭部で粘膜下の骨に達するように粘膜を突き刺し、フレーム本体で粘膜を骨に密着させて押さえ付け、この押さえ付けた状態のままドリルを用いて粘膜とともに骨にドリル孔を形成することができる。その後、前記ドリル孔には、ドライバーを用いてスクリューをねじ込むことができる。このとき、粘膜が先鋭部によって押圧されて骨に対して押し潰された状態で密接することとなり、これにより粘膜が骨の表面に沿って滑るようにして動くのを防止することができる。
そして、フレーム本体によって粘膜が骨に押さえ付けられる位置の近傍にドリリングにより粘膜とともに骨に孔を開けることで、骨に対する粘膜の滑動が規制されるため、粘膜が回転するドリルに巻き込まれるのを防止することができる。
【００１０】
また、ドリリングした後であっても、先鋭部による押さえ付けを維持した状態とすることで、その後の粘膜と骨に開けたドリル孔の位置がずれることがない。
そのため、先鋭部による押さえ付けた状態を維持したまま、先行して開けたドリル孔に対して位置決めを行ったり、粘膜と骨との孔を合わせるといった手間な作業が不要となり、ドリル孔に容易にスクリューを埋め込むことができる。
【００１１】
また、本発明に係る治療冶具では、フレーム本体には、適宜な処置機能を有する回転可能なシャフトをシャフト軸回りに回転自在に、且つシャフト軸方向に移動自在に案内するガイド部を有することが好ましい。
この場合、治療治具の先鋭部で粘膜を突き刺し、フレーム本体で粘膜を骨に密着させて押さえ付けた状態のままガイド部にドリル機能をもつシャフト（第１シャフト）を係合させ、この第１シャフトを回転させつつ粘膜（骨）側に向けて移動させることで前記ドリル孔を形成することができる。次いで、ガイド部に係合されている第１シャフトからスクリューをねじ込むことが可能なドライバー型の別のシャフト（第２シャフト）に交換し、その第２シャフトを回転させつつ粘膜（骨）側に向けて移動させることで、前記ドリル孔にスクリューをねじ込むことができる。
このとき、フレーム本体に先鋭部とガイド部とが設けられているので、ガイド部に係合されたシャフトの回転軸の位置が先鋭部によって粘膜が骨に押さえ付けられる位置の近傍となる。そのため、ドリリングにより粘膜とともに骨に孔を開ける場合、骨に対する滑動が規制された粘膜が回転するドリル（第１シャフト）に巻き込まれにくくなる。
【００１２】
また、ドリル孔の位置がずれることがないため、フレーム本体による押さえ付けた状態を維持したままガイド部に対して別のシャフトに交換することができ、先行して開けたドリル孔に対して位置決めを行ったり、粘膜と骨との孔を合わせるといった手間な作業が不要となり、交換したドライバー型の別のシャフト（第２シャフト）を用いてドリル孔に容易にスクリューを埋め込むことができる。
【００１３】
また、本発明に係る治療冶具では、ガイド部は、複数のシャフトを案内可能に係合し、それらシャフト同士のシャフト軸が互いに平行に配置されていることが好ましい。
本発明では、先鋭部によって粘膜を骨に押し付けた状態のフレーム本体を移動させることなく、その位置で複数のシャフトを同時に用いて骨に複数のドリル孔を開けることができるうえ、シャフト同士の間隔を小さく且つ精度良く平行に設けることが可能である。
【００１４】
また、本発明に係る治療治具では、フレーム本体は、平板部材からなり、フレーム本体の平面に沿ってガイド部によって案内されるシャフトのシャフト軸方向に延びる案内凹溝が設けられていることがより好ましい。
この場合、ガイド部に沿って案内されるシャフトをさらに案内凹溝に沿って移動させることができるので、シャフトの移動によるブレがなく、精度を高めることができ、さらに別の機能を有するシャフトに交換してもシャフトの回転軸の位置が常に同じとなる利点がある。
【００１５】
また、本発明に係る治療治具では、先鋭部は、平面視でガイド部に案内されるシャフトの両側の位置に設けられていることが好ましい。
この場合、粘膜が骨に対してシャフトを中心とした両側で左右バランス良く同じ力で押し付けられるので、シャフト周囲の粘膜の一部の押付力が不足することがなくなり、ドリル（シャフト）に粘膜が巻き込まれるのを確実に防止することができる。
【発明の効果】
【００１６】
本発明の治療治具によれば、粘膜を突き刺した先鋭部を骨に支持させ、骨に対して粘膜を押し付けた状態のフレーム本体を基準としてドリリングを行うことができる。このとき、粘膜と骨との滑動が規制されるため、粘膜を巻き込むことなく骨に対するドリリングを行うことができる。そのため、厚く硬い骨の場合に従来行っていた切開手術が不要となり、その切開手術による術後の腫脹や疼痛をなくすことができる。
また、フレーム本体において先鋭部による押さえ付けた状態を維持することで、ドリリング後において粘膜と骨との孔の位置がずれるのを防止することができ、骨に開けたドリル孔にスクリューをねじ込む等の処置を施す場合であっても、そのドリル孔を探すといった手間がなく、作業効率を向上させることができるという効果を奏する。
【図面の簡単な説明】
【００１７】
【図１】本発明の実施の形態によるシャフトを備えた治療冶具の全体構成を示す斜視図である。
【図２】図１に示す治療冶具の側面図である。
【図３】図１に示す治療冶具の正面図であって、（ａ）はシャフトの移動前の状態の図、（ｂ）はシャフトの移動後の状態を示す図である。
【図４】治療冶具の全体構成を示す斜視図である。
【図５】図４に示す治療冶具の側面図である。
【図６】図５に示すＡ−Ａ線矢視図である。
【図７】シャフトを備えた治療冶具をフレーム本体の先端部側から見た図である。
【図８】ガイド片を示す斜視図である。
【図９】（ａ）〜（ｄ）は治療冶具の使用方法を示す図である。
【図１０】変形例によるシャフトを備えた治療冶具の全体構成を示す斜視図であって、図１に対応する図である。
【図１１】治療冶具の全体構成を示す斜視図であって、図４に対応する図である。
【図１２】図１０に示す治療冶具の正面図であって、（ａ）はシャフトの移動前の状態の図、（ｂ）はシャフトの移動後の状態を示す図である。
【発明を実施するための形態】
【００１８】
以下、本発明の実施の形態による治療治具について、図面に基づいて説明する。
【００１９】
図１に示すように、実施の形態による治療治具は、口腔内の顎部の骨に埋め込んだスクリュー４の頭部に図示しない上部構造体を固定させ、さらにその上部構造体に矯正用ブラケットなどをろう着により固着し、それに矯正用ワイヤー、エラスティックス、スプリングなどを介して所定の歯に接続することで、歯を所望の方向に向けて移動させる歯列矯正において、スクリュー４を骨に埋め込んで固定させる処置に使用される冶具である。
【００２０】
図１乃至図３において、符号１は本実施の形態による口腔内治療冶具（以下、単に治療冶具１という）であり、符号２はシャフト３を着脱可能としたハンドピースである。
治療冶具１は、ハンドピース２のアタッチメントである２本のシャフト３、３を同時にガイドできるようになっており、上述したように口腔内の骨にスクリュー４を埋め込むために用いる冶具である。
【００２１】
ハンドピース２は、図示しない電源を備え、基端側に把持部２１を有し、この把持部２１の先端側にシャフト３を着脱可能に保持する保持部２２が設けられている。ハンドピース２には、外部から供給された電源によりシャフト３を所定の回転数で回転させるようになっている。
【００２２】
ここで、本実施の形態では、シャフト３として、骨（口腔内の顎部の骨）にスクリュー４用の孔（図９（ｃ）、（ｄ）参照）を開けるためのドリル型の第１シャフト３Ａと、この第１シャフト３Ａで開けた孔に打ち込むスクリュー４を先端に装着させるためのドライバー型の第２シャフト３Ｂとの２種類の機能をもつものが採用されている。
なお、図１〜図３、図７では、治療冶具１に第１シャフト３Ａと第２シャフト３Ｂが取付けられている状態を示している。
【００２３】
図４乃至図８に示すように、治療冶具１は、シャフト３をシャフト軸回りに回転自在に、且つシャフト軸方向に移動自在に案内するガイド片１２（ガイド部）を有するフレーム本体１０と、フレーム本体１０の長手方向の一方の先端部１０ａから突出する複数本（ここでは４本）の突出針１１、１１、…（先鋭部）と、を備えて概略構成されている。
【００２４】
ここで、本実施の形態では上記フレーム本体１０の長手方向をフレーム軸といい、このフレーム軸に沿った突出針１１側を先端側といい、その反対側を基端側という。また、フレーム本体１０の面方向でフレーム軸に直交する方向を幅方向といい、屈折されたフレーム本体１０の内角側の平面を内面といい、その反対側の平面を外面という。
【００２５】
フレーム本体１０は、ステンレス等の材料により形成され長手方向に間隔をもって位置する二箇所の屈折部１０ｂ、１０ｃを有する平板部材からなり、先端側の一方の第１屈折部１０ｂより先端側に位置するシャフト保持部１０Ａと、第１屈折部１０ｂによりも基端側に位置する把持部１０Ｂとからなる。把持部１０Ｂは、そのフレーム軸方向の中間位置で他方の第２屈折部１０ｃにより内面側に屈折した山形形状をなしている。
シャフト保持部１０Ａは、フレーム軸方向の中間部には段部１０ｄが形成されており、この段部１０ｄよりも先端側の部分（符号１０ｅ）が同じく基端側の部分（符号１０ｆ）よりも外面側に張り出すようにして位置している。
【００２６】
段部１０ｄよりも基端側の部分１０ｆの外面には、２本のシャフト３をフレーム軸方向に沿って移動可能に保持するガイド片１２が設けられている。また、段部１０ｄよりも先端側の部分１０ｅの外面には、その平面にガイド片１２によって案内される２本のシャフト３が沿うようにそれぞれのシャフト軸方向に延びる一対の案内凹溝１３、１３が設けられている。
【００２７】
ガイド片１２には、２本のシャフト３、３を同時にシャフト軸方向に沿って案内するとともに、それらシャフト３、３同士のシャフト軸が互いに平行に配置されるように一対の受け部１２ａ、１２ａ（図６、図８参照）が設けられている。各受け部１２ａは、シャフト３の外径に対応した曲面で、その一部が開口となる凹状をなしている。
【００２８】
ここで、本実施の形態で使用される２種類のシャフト３のうちドリル型の第１シャフト３Ａの外径寸法は、受け部１２ａの開口幅より大きくなっている。つまり、第１シャフト３Ａは、受け部１２ａの上側から挿入させない限り、この受け部１２ａの内周面側で移動可能に係合させることができないようになっている。これは、第１シャフト３Ａの場合、骨の斜面があってもドリル先端が滑らないように狙った孔開け位置でドリリングするためにガイド片１２で支持することで、確実な位置に孔を設けるためである。
一方、ドライバー型の第２シャフト３Ｂの場合には、そのシャフト先端にスクリューを係止させた状態のままガイド片１２に保持させるため、また前記第１シャフト３Ａによって形成された孔に対してねじ込むだけであるため、前記受け部１２ａの開口幅より小さい外径寸法となっている。これにより第２シャフト３Ｂは、ガイド片１２の横から受け部１２a内に挿入することができるとともに、受け部１２ａに対して動かすことが可能な遊びが設けられた構成となっている。
【００２９】
なお、段部１０ｄの段差の大きさ、およびガイド片１２、案内凹溝１３の位置は、シャフト３をガイド片１２の受け部１２ａに係合させた状態で、ハンドピース２の保持部２２が段部１０ｄよりも基端側の部分１０ｆの外面によって前記係合が妨げられない位置とされる。
【００３０】
複数の突出針１１は、シャフト保持部１０Ａの先端部１０ａにおいて針先１１ａ（図５参照）をフレーム軸方向に向けた状態で設けられ、図７に示す先端側から見て、各案内凹溝１３の両側に１本ずつ配置されるとともに、フレーム本体１０の幅方向に一定の間隔をもって配置されている。
【００３１】
次に、上述した治療冶具１の使用方法と作用について、図面に基づいて説明する。
図１〜図３、及び図９（ａ）、（ｂ）に示すように、インプラントによる歯列矯正等の処置で口腔内の粘膜５によって覆われた骨６にスクリュー４を埋め込む場合において、治療冶具１の４本の突出針１１、１１、…で粘膜５下の骨６に達するまで粘膜５を突き刺し、フレーム本体１０の先端１０ａの押圧によって粘膜５を骨に密着させて矢印Ｘ１方向へ向けて押さえ付ける。これにより粘膜５が骨６の表面に沿って滑るようにして動くことが防止され、これにより位置が固定されることになる。
そして、図９（ｃ）に示すように、この押さえ付けた状態のままガイド片１２（図１など）にドリル機能をもつ第１シャフト３Ａを係合させ、この第１シャフト３Ａを回転させつつ粘膜５（骨６）側（矢印Ｘ１方向）に向けて移動させることで、粘膜５とともに骨６にドリル孔６ａを形成する。
【００３２】
次いで、図９（ｄ）に示すように、ガイド片１２に係合されている第１シャフト３Ａからスクリュー４をねじ込むことが可能なドライバー型の別の第２シャフト３Ｂに交換し、その第２シャフト３Ｂを回転させつつ粘膜５（骨６）側（矢印Ｘ１方向）に向けて移動させることで、前記ドリル孔６ａにスクリュー４をねじ込むことで、骨６にスクリュー４を埋め込むことができる。
【００３３】
このとき、フレーム本体１０に突出針１１とガイド片１２とが設けられているので、ガイド部に係合されたシャフト３の回転軸の位置が突出針１１によって粘膜５が骨６に押さえ付けられる位置の近傍となる。そのため、ドリリングにより粘膜５とともに骨６にドリル孔６ａを開ける場合、骨６に対する滑動が規制された粘膜５が回転するドリル（シャフト３）に巻き込まれにくくなる。
【００３４】
また、ドリリングした後であっても、突出針１１による押さえ付けを維持した状態とすることで、その後の粘膜５と骨６に開けたドリル孔６ａの位置がずれることがない。
【００３５】
さらに、突出針１１による押さえ付けた状態を維持したままガイド片１２に対して別の第２シャフト３Ｂに交換することで、先行して開けたドリル孔６ａに対して位置決めを行ったり、粘膜と骨との孔を合わせるといった手間な作業が不要となり、交換したドライバー型の別の第２シャフト３Ｂを用いてドリル孔６ａに容易にスクリュー４を埋め込むことができる。
【００３６】
また、ガイド片１２が２本のシャフト３を案内可能に係合し、それらシャフト３、３同士のシャフト軸が互いに平行に配置されているので、突出針１１によって粘膜５を骨６に押し付けた状態のフレーム本体１０を移動させることなく、その位置で２本のシャフト３を同時に用いて骨６に２本のドリル孔６ａを開けることができるうえ、シャフト３、３同士の間隔を小さく且つ精度良く平行に設けることが可能である。
【００３７】
さらに、本治療冶具１では、フレーム本体に案内凹溝１３が設けられていることにより、ガイド片１２に沿って案内されるシャフト３をさらに案内凹溝１３に沿って移動させることができるので、シャフト３の移動によるブレがなく、精度を高めることができ、さらに別の機能を有するシャフト３に交換してもシャフト３の回転軸の位置が常に同じとなる。
【００３８】
さらにまた、突出針１１が平面視でガイド片１２に案内されるシャフト３の両側の位置に設けられているので、粘膜５が骨６に対してシャフト３を中心とした両側でバランス良く同じ力で押し付けられるので、シャフト３周囲の粘膜５の一部の押付力が不足することがなくなり、ドリル（シャフト３）に粘膜５が巻き込まれるのを確実に防止することができる。
【００３９】
上述のように本実施の形態による治療治具では、粘膜５を突き刺した突出針１１を骨６に支持させ、骨６に対して粘膜５を押し付けた状態のフレーム本体１０を基準としてシャフト３をシャフト軸回りに回転させて軸方向に移動させることで、粘膜と骨との滑動が規制されるため、粘膜５を巻き込むことなく骨６に対するドリリングを行うことができる。そのため、厚く硬い骨の場合に従来行っていた切開手術が不要となり、その切開手術による術後の腫脹や疼痛をなくすことができる。
【００４０】
また、フレーム本体１０において突出針１１による押さえ付けた状態を維持することで、ドリリング後において粘膜５と骨６との孔の位置がずれるのを防止することができ、これによりガイド片１２に対して別のシャフト３（第２シャフト３Ｂ）に交換して骨６に開けたドリル孔６ａに処置を施す場合であっても、そのドリル孔６ａを探すといった手間がなく、作業効率を向上させることができるという効果を奏する。
【００４１】
以上、本発明による治療治具の実施の形態について説明したが、本発明は上記の実施の形態に限定されるものではなく、その趣旨を逸脱しない範囲で適宜変更可能である。
【００４２】
例えば、本実施の形態の治療冶具１では２本のシャフト３をガイド片１２に係合させることが可能な構成としているが、対応するシャフト３の本数に制限されることはない。
例えば、図１０及び図１１に示すように、変形例による口腔内治療冶具（治療冶具１Ａ）は、フレーム本体１０において１本のシャフト３を係合可能な第２ガイド片１４（ガイド部）と、シャフト保持部１０Ａの幅方向中央の１箇所に形成された案内凹溝１３とを備えた構成のものである。この治療冶具１Ａでは、ガイド片１４の受け部１４ａは、図１２（ａ）、（ｂ）に示すように、その幅方向中央の位置に１箇所設けられている。なお、図１２（ａ）ではドリル型の第１シャフト３Ａをガイド片１４に係合させた状態を示し、図１２（ｂ）ではドライバー型の第２シャフト３Ｂをガイド片１４に係合させた状態を示している。そして、フレーム本体１０の先端部１０ａに設けられる突出針１１は、案内凹溝１３によって案内されるシャフト３を挟んだ左右両側の位置に設けられている。
【００４３】
本変形例による治療冶具１Ａでは、上述した実施の形態と同様に、２本の突出針１１によって骨に対して粘膜を押し付けた状態のフレーム本体１０を基準としてシャフト３をシャフト軸回りに回転させ、シャフト軸方向に移動させることができるので、粘膜を巻き込むことなく骨に対するドリリングを行うことができる（図９参照）。
また、フレーム本体１０において突出針１１による押さえ付けた状態を維持することで、ドリリング後において粘膜と骨とに開けたドリル孔の位置がずれるのを防止することができ、これによりガイド片１４に対して別のシャフト３に交換して骨に開けたドリル孔に処置を施す場合であっても、そのドリル孔を探す必要がなく、作業効率を向上させることができるという効果を奏する。
【００４４】
また、本実施の形態の治療冶具１では歯列矯正治療に基づくスクリュー４を骨に埋め込む場合を適用対象としているが、このような歯列矯正による処置に限定されることなく、口腔内の骨を適用対象とすることに制限されることはない。
そして、シャフト３においても、本実施の形態ではドリル型（第１シャフト３Ａ）とドライバー型（第２シャフト３Ｂ）の２種類の機能をもつシャフト３を採用しているが、他の機能をもつシャフトに適用することも勿論可能である。
【００４５】
さらに、本実施の形態ではフレーム本体１０にガイド部を設けた構成としているが、これに限定されることはなく、ガイド部を省略した構成とすることも可能である。この場合、ドリル等はガイド部に案内されることはないが、フレーム本体１０による押さえ付けた状態を維持することは可能であるので、粘膜と骨とに開けたドリル孔の位置がずれないという効果は得られることになる。
【００４６】
また、本実施の形態ではフレーム本体１０が平板形状をなし、２箇所の屈折部１０ｂ、１０ｃを有する形状としているが、このような形状であることに限定されることはない。
さらに、突出針１１の形状、突出寸法、間隔などの構成も適宜設定することが可能であり、またフレーム本体１０と一体的に成形したフォーク形状のものであってもかまわない。
さらにまた、本実施の形態ではフレーム本体１０のシャフト保持部１０Ａの外面に案内凹溝１３を形成しているが、この案内凹溝１３を省略することも可能である。
【００４７】
さらにまた、本実施の形態では治療治具１の使用方法として、突出針１１を粘膜５に対して貫通させ、その先端を骨６に到達させて支持させているが、粘膜５の厚みが突出針１１よりも大きいときには、突出針１１が完全に貫通しない場合もあるが、このようなケースであっても本治療治具１の使用が可能である。この場合、フレーム本体１０の押圧力によって粘膜５を介して骨６に押し付けることで、突出針１１の先端が骨６に刺さる場合よりは支持力が小さくなるものの、粘膜５の骨６に対する滑動を抑制し、同様の効果を得ることが可能である。
【００４８】
その他、本発明の趣旨を逸脱しない範囲で、上記した実施の形態における構成要素を周知の構成要素に置き換えることは適宜可能である。
【符号の説明】
【００４９】
１、１Ａ  治療冶具
２  ハンドピース
３  シャフト
３Ａ  第１シャフト
３Ｂ  第２シャフト
４  スクリュー
５  粘膜
６  骨
６ａ  ドリル孔
１０  フレーム本体
１０ａ  先端部
１０ｄ  段部
１１  突出針（先鋭部）
１２、１４  ガイド片（ガイド部）
１２ａ、１４ａ  受け部
１３  案内凹溝
【図１】
2012147845.tif 000003
【図２】
2012147845.tif 000004
【図３】
2012147845.tif 000005
【図４】
2012147845.tif 000006
【図５】
2012147845.tif 000007
【図６】
2012147845.tif 000008
【図７】
2012147845.tif 000009
【図８】
2012147845.tif 000010
【図９】
2012147845.tif 000011
【図１０】
2012147845.tif 000012
【図１１】
2012147845.tif 000013
【図１２】
2012147845.tif 000014